(57)【要約】  タバコ製品用のソフトカップパッケージ（１）であって、開口面（２６）を有するカップ形状の外方容器（２）と、外方容器（２）内に位置し、タバコ製品を囲むように構成された内方包装体（４）とを含む。可動のカバー（６）が外方容器の第１の面（２２）に接合されている。さらにパッケージは、カバー（６）が開口面を覆うように延びた状態で外方容器の第２の面（２０）にカバー（６）を取り外し自在に固定するために配された接着剤を含む。カバー（６）は、開口面（２６）の幅の大半を覆うように延びる。
2013503084.tif 000002
【特許請求の範囲】
【請求項１】
開口面を有するカップ形状の外方容器と、
外方容器内に位置し、タバコ製品を囲むように構成された内方包装体と、
外方容器の第１の面に接合された可動のカバーとを含むタバコ製品用ソフトカップパッケージであって、該パッケージは、さらに前記開口面を覆うように延びた状態で外方容器の第２の面にカバーを取り外し自在に固定するために配された接着剤を含み、前記カバーは、前記開口面の幅の大半を覆うように延びる、ソフトカップパッケージ。
【請求項２】
前記外方容器とカバーが少なくとも２つの互いに固定された部分によって形成されていることを特徴とする請求項１記載のソフトカップパッケージ。
【請求項３】
前記カバーが前記外方容器の第１の面の外側の面に固定されていることを特徴とする請求項１または２記載のソフトカップパッケージ。
【請求項４】
前記カバーが永久粘着剤で前記外方容器の第１の面に固定されていることを特徴とする請求項２または３記載のソフトカップパッケージ。
【請求項５】
前記カバーが前記外方容器の第１の面と一体であることを特徴とする請求項１または２記載のソフトカップパッケージ。
【請求項６】
前記カバーがカバー部とこのカバー部に固定された固定部とを含み、前記カバー部が前記開口面を覆うように配され、前記接着剤が前記固定部を前記外方容器の第２の面に取り外し自在に固定するように配されていることを特徴とする請求項５記載のソフトカップパッケージ。
【請求項７】
前記内方包装体が前記外方容器の開口面に亘って延び、前記外方容器の開口面を介してタバコ製品を取り出せるように開封可能であり、前記開口面に亘って延びる内方包装体のある部分が可動のカバーに貼り付けられ、可動のカバーを開くと内方包装体の前記部分を開くことを特徴とする請求項１乃至６いずれか１項記載のソフトカップパッケージ。
【請求項８】
前記内方包装体が前記開口面を覆う複数のフラップを含み、前記カバーに貼り付けられた前記部分が前記外方容器の第１の面に隣接して延びるフラップであることを特徴とする請求項７記載のソフトカップパッケージ。
【請求項９】
前記カバーが前記外方容器の第１の面に対して折り畳まれている状態にあり、外方容器の開口面を覆うように延びるために広げられることを特徴とする請求項１乃至８いずれか１項記載のソフトカップパッケージ。
【請求項１０】
前記カバーに塗布された接着剤が、カバーが折り畳まれた状態でカバーを外方容器の第１の面に固定し、カバーが広げられた状態においてカバーを外方容器の第２の面に固定するするために配されていることを特徴とする請求項９記載のソフトカップパッケージ。
【請求項１１】
前記カバーが、掴むことのできるタブを含み、前記折り畳まれた状態で外方容器の開口面を越えて延びることを特徴とする請求項９または１０記載のソフトカップパッケージ。
【請求項１２】
前記折り畳まれた状態でカバーが３つの重なり合う部分に折り畳まれることを特徴とする請求項９、１０または１１記載のソフトカップパッケージ。
【請求項１３】
前記外方容器が、他の面より大きい前面および背面と、２つの長手方向に延びた側面と、底端面とを有する長尺の平行６面体であり、開口面が底端面に対向する頂端部に形成され、可動カバーが接合される第１の面が前記大きい背面であり、可動カバーが取り外し自在に貼り付けられる第２の面が前記大きい前面であることを特徴とする請求項１乃至１２いずれか１項記載のソフトカップパッケージ。
【請求項１４】
カップ形状の外方容器と、この外方容器内に位置し、タバコ製品を囲むように構成された内方包装体とを含む、タバコ製品を収容するソフトカップパッケージに可動のカバーを取り付ける方法であって、この方法は、
可動のカバーを外方容器の第１の面に取り付ける工程と、
カバーが開口面を覆うように延びた状態で外方容器の第２の面にカバーを取り外し自在に固定するために配される接着剤を塗布する工程とを含み、カバーが開口面の幅の大半を覆うように延びることを特徴とする方法。
【請求項１５】
タバコ製品を収容するソフトカップパッケージの製造方法であって、この方法は、
タバコ製品を囲む内方包装体を形成する工程と、
内方包装体の周囲に、開口面を有数するカップ形状の外方容器を形成する工程と、
外方容器の第１の面に接合される可動のカバーを供する工程と、
カバーが開口面を覆うように延びた状態で外方容器の第２の面にカバーを取り外し自在に固定するために配される接着剤を塗布する工程とを含み、カバーが開口面の幅の大半を覆うように延びることを特徴とする方法。
【請求項１６】
前記外方容器とカバーを少なくとも２つの部分を互いに固定することによって形成する工程を含むことを特徴とする請求項１５記載の方法。
【請求項１７】
前記可動カバーを供する工程が、前記カップ形状の外方容器が内方包装体の周囲に形成された後、外方容器の第１の面に固定することを含むことを特徴とする請求項１５または１６記載の方法。
【請求項１８】
前記カバーが前記外方容器の第１の面と一体であることを特徴とする請求項１５または１６記載の方法。
【請求項１９】
前記内方包装体が前記外方容器の開口面に亘って延び、外方容器の開口面を介してタバコ製品を取り出せるように開封可能であり、前記開口面に亘って延びる内方包装体のある部分を可動のカバーに貼り付け、可動のカバーを開くと内方包装体の前記部分を開くようにすることを特徴とする請求項１４乃至１８いずれか１項記載の方法。
【請求項２０】
前記外方容器の第１の面に対して折り畳まれた状態のカバーを形成する工程を含み、前記カバーが外方容器の開口面を覆って延びるように広げられた状態になるように構成されていることを特徴とする請求項１４乃至１９いずれか１項記載の方法。
【請求項２１】
添付図面のいずれか１つを参照して説明されるソフトカップパッケージ。
【発明の詳細な説明】
【技術分野】
【０００１】
本発明は、タバコ製品用のパッケージに関し、特に紙巻きタバコ、シガー、シガリロ及びばらの状態のタバコなどの喫煙品用のパッケージに関する。便宜上、これらを本明細書中では「紙巻きタバコ」とする。特に本発明のパッケージは、再封止可能なソフトカップパッケージである。
【背景技術】
【０００２】
ソフトカップパッケージは、例えば下記特許文献１から当業界ではよく知られている。ソフトカップパッケージは、通常、紙からなり、上部が開くソフトカップを含む。パッケージ１つ分の紙巻きタバコは、通常、金属箔からなるラッピング材に包まれ、ソフトカップ内に位置する。下記特許文献１では、ソフトカップパッケージは、その開口上部を越えて延びた従来の閉鎖ストリップまたは収入印紙を有する。一度開封されると、閉鎖ストリップまたは収入印紙は、再度貼り付けられる場合もあり、貼り付けられない場合もある。閉鎖ストリップまたは収入印紙は、紙巻きタバコがパッケージから落ちるのを防ぐが、パッケージを再封止することはできない。パッケージを再封止可能にすることは、湿気が紙巻きタバコの品質に影響を与える暑い国々で特に役に立つ。従って下記特許文献１のパッケージは、一度開封されると、中の紙巻きタバコが劣化してしまう。
【０００３】
下記特許文献２は、紙巻きタバコを囲む再封止可能な包装体について記載している。この包装体は内方の包装体の周囲に位置する外方カップを有するソフトカップパッケージではない。再封止可能なカバーは、内方の包装体に位置する。
【発明の概要】
【発明が解決しようとする課題】
【０００４】
第１の態様において本発明は、タバコ製品用のソフトカップパッケージを提供し、このパッケージは、開口面を有するカップ形状の外方容器と、この外方容器内に位置し、タバコ製品を囲むように構成された内方包装体と、外方容器の第１の面に接合された可動のカバーと、接着剤とを含み、この接着剤は、カバーが開口面を覆うように延びた状態で外方容器の第２の面にカバーを取り外し自在に固定するために配され、このカバーは、開口面の幅の大半を覆うように延びる。
【０００５】
従って本発明のソフトカップパッケージは、再封止可能であり、パッケージを最初に開けた後にタバコ製品を保護することができる。
【０００６】
第２の態様において本発明は、カップ形状の外方容器と、この外方容器内に位置し、タバコ製品を囲むように構成された内方包装体とを含む、タバコ製品を収容するソフトカップパッケージに可動のカバーを取り付ける方法を提供し、この方法は、可動のカバーを外方容器の第１の面に取り付ける工程と、カバーが開口面を覆うように延びた状態で外方容器の第２の面にカバーを取り外し自在に固定するために配される接着剤を塗布する工程とを含み、カバーが開口面の幅の大半を覆うように延びる。
【０００７】
本発明は、第３の態様においてタバコ製品を収容するソフトカップパッケージの製造方法を提供し、この方法は、タバコ製品を囲む内方包装体を形成する工程と、内方包装体の周囲に、開口面を有数するカップ形状の外方容器を形成する工程と、外方容器の第１の面に接合される可動のカバーを供する工程と、カバーが開口面を覆うように延びた状態で外方容器の第２の面にカバーを取り外し自在に固定するために配される接着剤を塗布する工程とを含み、カバーが開口面の幅の大半を覆うように延びる。
【０００８】
従って最初に開封した後、タバコ製品を保護するために再封止可能なソフトカップパッケージが製造される。
【０００９】
本発明を以下の図面を参照してあくまで例示を目的として説明する。
【図面の簡単な説明】
【００１０】
【図１】本発明の第１の実施態様による封止された状態のパッケージの斜視図である。
【図２】本発明の第１の実施態様による開封された状態のパッケージの斜視図である。
【図３】本発明の第１の実施態様の一部の平面図である。
【図４】本発明の第１の実施態様の別の部分を示す斜視図である。
【図５】本発明の第２の実施態様による封止された状態のパッケージの斜視図である。
【図６】本発明の第３の実施態様による完全に折り曲げられていない状態のパッケージの一部を示す斜視図である。
【図７】折り曲げられた状態の図６のパッケージの部分を示す斜視図である。
【図８】本発明の第３の実施態様による閉じた状態のパッケージを示す斜視図である。
【図９】本発明の第３の実施態様による開いた状態のパッケージを示す斜視図である。
【発明を実施するための形態】
【００１１】
図１は、タバコ製品、好ましくは紙巻きタバコ用のソフトカップパッケージ１を示す。このソフトカップパッケージ１は、外層を形成するソフトカップ２を有する。ソフトカップ２は、紙で作製され、頂部が開口している。ソフトカップは、２つの主要面（前面２０、背面２２）と、２つの側面２４と、端面（底面２８）とを有する。開口部または開口面２６が上端面の代わりにソフトカップ２の頂部に形成されている。
【００１２】
喫煙品を含む装填体がソフトカップ２内に配置されている。この装填体は、タバコ製品を包む可撓性材料からなる包装体４を含む。喫煙品装填体は、２つの主要面（前面、背面）と、２つの側面と、２つの端面（頂面、底面）とを有する。タバコ製品は、装填体の頂面およびこれに位置合わせされたソフトカップ２の開口部２６から取り出される。
【００１３】
ソフトカップパッケージ１は、ソフトカップの開口頂部の開口部２６および喫煙品装填体を覆うように延びる可動のカバー６を有する。カバー６は、ソフトカップ２の前面２０の外方面に取り外し自在に貼り付けられる。永久粘着剤が前面２０および／またはカバー６に位置し、カバーを繰り返し開いたり、再封止することができる。永久粘着剤は、感圧接着剤である。カバー６には接着剤が塗布されていない把持することができるタブ８が設けられている。タブ８は、カバー６を開封するためにユーザーが掴むことができる。
【００１４】
図２は紙巻きタバコを取り出せるように開いた状態にあるカバー６を示す。内方の包装体４は、外方容器の開口面を覆って延びている。内方包装体４は、開封可能であり、外方容器の開口面を介してタバコ製品に触れることができる。包装体４は、開口面を覆って延びる複数のフラップを含む。包装体４は、後部フラップ１０、前部フラップ１２、側部フラップ１６によって形成された頂面を有する。フラップ１０、１２、１６は、互いに接着せずに折り畳まれる。
【００１５】
開口面に覆って延びる内方包装体４の一部は、可動のカバー６に貼り付けられ、可動カバー６を開くことにより、内方包装体４のその部分が開封される。可動カバーに貼り付けられた包装体のその部分は、カバーが接合された外方容器の面に隣接して延びたフラップである。
【００１６】
好ましくは後部フラップ１０は、カバー６の内方面に接合される。カバー６が持ち上げられると、後部フラップ１０も前部フラップ１２から持ち上げられる。タバコ製品が後部フラップ１０および前部フラップ１２の間から容易に取り出される。好ましくは後部フラップ１０は、永久接着剤によって、そして好ましくはカバー６と後部フラップ１０を横方向に横断して延びる接着剤１８のラインによってカバー６に接合される。永久接着剤は、カバー６をソフトカップ２に永久的に接着するのに充分な強度のものである。
【００１７】
図３は、閉じているカバー６に対応して閉じた状態にある、ソフトカップ２を除いた包装体４を示している。後部フラップ１０、前部フラップ１２および側部フラップ１６は、重なり合うことによって、空気が包装体４内へ侵入するのを防いでいる。包装体４は、従来から知られているようにブランクから構成してもよく、カバー６に貼り付けるための接着剤１８のラインを任意に後部フラップ１０に有してもよい。包装体４は、タバコ製品の周りで折り曲げられる１枚のシート材で形成される。シート材の縁部は、重なり合うが、封止または接合されない。
【００１８】
図４は、本発明の第１の実施態様によるカバー６を示す。カバー６は、好ましくは永久接着剤でソフトカップの背面２２に固定される。カバーの第１の部分３０には永久接着剤が塗布され、カバーをソフトカップ２に取り付ける。カバー６の第２の部分３２には接着剤は塗布されない。第２部分３２は、ソフトカップの頂面の取り出し開口部２６を覆うように延びる。第３の部分３４には、再封止可能で、かつ、取り外し自在の粘着剤が塗布されている。第３部分３４は、ソフトカップ２の前面に取り外し自在に貼り付くように設けられている。タブ８は、第３部分３４の一部を形成し、これには接着剤が塗布されない。
【００１９】
カバー６および特に第２部分３２は、ソフトカップの開口面によって形成された取り出し開口部２６の幅の大半を覆うように延びる寸法に形成されている。第２部分３２は、ソフトカップ２のほぼ全幅を覆うように横方向に延びている。カバー６は、ソフトカップの全幅より僅かに短く延び、横方向の先端部において取り出し開口部２６は、その下に位置する側部フラップ１６および任意に後部フラップ１０および前部フラップ１２によって塞がれるのが好ましい。第２部分３２は、第１部分３０より幅が広くてもよい。
【００２０】
第２部分３２は、内面に沿って外側縁に隣接して延び、かつ、好ましくは両側部において第１部分３０から第３部分３４へと延びる永久粘着剤を有してもよい。このような粘着剤は、内方包装体の頂面にカバーを取り外し自在に固定し、タバコ製品の周囲の密封を向上させるものである。
【００２１】
既に知られているソフトカップパッケージを形成するカップ形状の外方容器２と包装体４は、従来のものと同じであり、カバー６を含まないソフトカップパッケージを製造するものとして知られている同じ製造装置を使用して製造することができる。カバー６は、外方容器２および包装体４が形成された後にカップ形状の外方容器２に取り付けられる。本発明の実施態様は、外方容器２および包装体４を製造するための装置に何ら変更を加える必要がないという利点を有する。カバー６は、従来のソフトカップパッケージに簡単に貼り付けて本発明の再封止可能なソフトカップパッケージを形成することができる。従って外方容器（ソフトカップ）２およびカバー６は、互いに接合した２つの部分を含む。
【００２２】
図５は本発明の第２の実施態様を構成するパッケージ５０の一部を示す。パッケージ５０は、特に説明しない限り、第１の実施態様のパッケージと実質的に同じである。パッケージ５０は、ソフトカップの頂面を覆うように延びる可動のカバー５６を含む。カバー５６は、外方ソフトカップの後主要面５２と一体に形成されたカバー部を含む。可動のカバー５６は、再封止ストリップ６０によって前主要面６６に取り外し自在に接合される。再封止ストリップ６０は、部分６４に位置する永久粘着剤によって可動のカバー５６に固定される。再封止ストリップ６０は、部分６２に位置する永久粘着剤によってソフトカップの前面６６に取り外し自在に貼り付く。再封止ストリップ６０は、接着剤が塗布されていない掴むことのできるタブ５８を有する。タブ５８を持ち上げて、前面６６から再封止ストリップ６０を剥がし、可動カバー５６を持ち上げることができる。
【００２３】
カバー５６は、互いに接合された２つの部分を含む。カバー５６は、外方容器の開口面を覆うように延びるカバー部とこのカバー部に貼り付けられた固定部６０とを含む。カバー部は、ソフトカップの頂面を覆うシールを形成する。
【００２４】
可動カバー５６の内側の面は、図１から４の第１の実施態様で説明したように内方包装体の後部フラップに貼り付けられるのが好ましい。特に可動カバーと後部フラップは、永久接着剤のライン６８によって接合される。
【００２５】
感圧接着剤が外側縁に隣接するカバー５６の内面に沿って延びてもよい。この接着剤は、内方包装体の頂面にカバーを取り外し自在に固定し、タバコ製品の周囲の密封を向上させるものである。
【００２６】
再封止可能なストリップ６０は、可動カバー５６とは別個のこれに貼付されるものとして説明されている。これとは別に再封止可能なストリップは、可動カバーと一体に形成されてもよい。このような実施態様では可動カバー５６の一部が可動カバーおよび／またはパッケージの前面の対応する部分に塗布された永久粘着剤によってパッケージの前面に取り外し自在に貼り付けることができる。これ以外の可動カバーの部分には接着剤が塗布されず、タブ８またはタブ５８に類似した掴むことのできるタブとして機能する。
【００２７】
図６から９は本発明の第３の実施態様を示している。ソフトカップパッケージ７０は、ソフトカップ形状の外方容器７２を有し、この中に紙巻きタバコの装填体を囲む包装体が位置している。パッケージ７０は、頂面に亘って可動な第１の実施態様のものと類似のカバー６６を有する。カバー６６は、外方容器であるソフトカップ７２の背面の外側の面に固定される。カバー６６は、最初はパッケージ７０の背面の外側面に対して折り畳まれた状態にあり、パッケージ７０の頂面を越えて延びていない。カバー６６は、カバーが永久的に接続される外方容器の面に対してカバーの上で折り畳まれている。カバー６６は、の折り畳まれた状態から延びた状態に開いて第１の実施態様のカバー６と類似したカバーを形成することができる。
【００２８】
図６は、ある程度折り曲げられた状態のカバー６６を示す。カバー６６は、最初に第１セクション７３、第２セクション７４および第３セクション７６といった３つのセクションに折り畳まれる。第１セクションは、領域８０に塗布された永久接着剤によって外方容器の背面に永久的に接合される。第１および第２セクション７４、７６は、最初は第１セクション７３と外方容器の背面との間に位置し、従ってソフトカップの背面に対して保持される。カバー６６は、第１、第２および第３セクションに対応する３つの重なり合う部分に折り畳まれる。
【００２９】
好ましくは第２セクション７４には接着剤が塗布されない。これとは別に第２セクション７４にその一方または両面に永久粘着剤を塗布して、カバー６６が折り畳まれた状態にあるときに第２セクションを第１および／または第３セクション７３、７６に取り外し自在に固定してもよい。
【００３０】
第３セクションには領域８２に亘って永久粘着剤が塗布されている。この永久粘着剤は、カバー６６が広げられたときにカバー６６を外方容器の前面９０に取り外し自在に固定するために位置している。折り畳まれた状態では領域８２の接着剤が、カバー６６が永久的に接合された外方容器の側に取り外し自在に固定する。
【００３１】
第３セクション７６には掴むことのできるタブ７８が設けられている。このタブ７８には接着剤が塗布されておらず、カバーが最初に折り畳まれている状態および最終的に広げられた状態の両方で消費者が掴めるように配置されている。折り畳まれた状態ではタブ７８は、外方容器の開口面を越えて延びている。特にタブ７８は、開口面を上方に越えて延び、実質的に容器の背面と平行になる。外方容器は、最初は上包みで囲んでもよい。上包みは、頂部面または後部面に対してタブ７８を押してもよい。タブは、ソフトカップの開口面を越えて延びた上述の位置に戻るように構成されるのが好ましい。
【００３２】
図７は、カバー６６が外方容器７２に貼り付けられている初期の折り畳まれた状態にあるカバー６６を示す。タブ７８は、第１、第２および第３セクション７３、７４、７６の一致する縁部を越えて延びている。第１セクション７３は、第２および第３セクション７４、７６より広い面積を有する。領域８０は、第２セクションを越えて延びた第１セクション７３の一部に位置し、これにより領域８０は、外方容器７２の背面に直接接着することができる。また第１セクション７３は、第２および第３セクション７４、７６を横方向に越えて延びている。横方向に延びた部分８４には永久粘着剤を塗布してもよく、またはこれとは別に接着剤を塗布しなくてもよい。図８は、カップ形状の外方容器７２の背面９２に貼付されたカバー６６を有するパッケージ７０を示している。掴むことのできるタブ７８が外方容器の頂面９６を越えて延びている。内方の包装体だけが頂面９６に亘って延びている。カバー６６が折り畳まれた状態にある間、内方の包装体９４は、タバコ製品を囲み、頂面に亘って延びている。カバー６６を使用するためにタブ７８が上方に引っ張られる。第１セクション７３は、背面９２にしっかりと固定され、カバー６６は、広げられる。その後カバー６６は、頂面を覆うように延びる。
【００３３】
第２セクション７４は、外側縁に隣接してその内方の面に沿って延びる、好ましくはその両側部において領域８０から領域８２へと延びる永久粘着剤が塗布されてもよい。このような粘着剤は、内方包装体の頂面にカバーを取り外し自在に固定し、タバコ製品の周囲の密封を向上させるものである。
【００３４】
図９は、カバー６６を開いたパッケージ７０を示している。タブ７８は、第３セクションの永久粘着剤がカバー６６を前面９０に取り外し自在に取り付けるまで、頂面９６を越えて前面９０の方へと移動させられる。従ってカバー６６は、パッケージの頂面９６の幅の大半を覆って延び、実質的に第１の実施態様で説明したようにタバコ製品１００を繰り返し覆うために使用することができる。
【００３５】
本発明のさらに別の態様は、タバコ製品を収容する再封止可能なソフトカップパッケージの製造方法である。この方法は、タバコ製品を収容するソフトカップパッケージに可動のカバーを取り付ける。ソフトカップパッケージは、カップ形状の外方容器と、この外方容器内に位置し、タバコ製品を覆う内方包装体とを含む。タバコ製品を含むソフトカップパッケージは、可動のカバーと取り付ける際には、既に形成されている。本発明の方法は、可動のカバーを外方容器の第１の面に取り付けることを含む。永久粘着剤が好ましくは可動カバーの一部または外方容器の第２の面に塗布される。粘着剤は、カバーを外方容器の第２の面に取り外し自在に固定するように配される。カバーは、開口面に亘って延び、開口面の幅の大半を覆って延びる。カバーは、上述の実施態様で説明したものでよい。
【００３６】
本発明のさらなる別の態様は、上記実施態様で説明したようにタバコ製品を収容するソフトカップパッケージの製造方法である。この方法は、タバコ製品を囲む内方包装体を形成することを含む。好ましくは内方包装体は、タバコ製品のブランクで包むことによって形成される。カップ形状の外方容器は、内方包装体の周囲に位置し、開口面を有する。好ましくは外方容器もブランクから形成され、紙または比較的柔らかい材料で製せられる。可動のカバーは、外方容器の第１の面に接合される。可動のカバーは、外方容器と一体に形成されてもよく、あるいは永久接着剤で外方容器に貼付してもよい。永久粘着剤は、カバーが開口面を覆うように延びた状態で外方容器の第２の面にカバーを取り外し自在に固定するために配されたカバーに塗布される。カバーは、取り出し開口部の幅の大半を覆うように延びる。
【００３７】
使用の際には、最初に上包みがすべての実施態様のパッケージの周囲から取り除かれる。第１または第２の実施態様によるパッケージでは、タブが掴まれ、カバーを持ち上げるために使用される。第３の実施態様によるパッケージでは、カバーがその折り畳まれた状態から広げられ、パッケージを再度封止する。タバコ製品を覆う内方包装体の一部をカバーで持ち上げるようにしてもよい。内方包装体の残りの部分または必要な部分が、タバコ製品を取り出すために持ち上げられる。これにより１本以上のタバコ製品が取り出される。その後パッケージは、カバーをパッケージのソフトカップパッケージの頂面に戻すことによって再度封止され、カバーは、感圧接着剤によって所定の位置に保持される。カバーは、ソフトカップの開口面の幅の大半を覆うように延び、内方の包装体は、カバーによって覆われていない全ての領域に亘って延びる。
【００３８】
図５に示す第２の実施態様は、外方容器と一体に形成されたカバー５６を説明している。これとは別に第１および第３の実施態様について説明したように、カバー５６を外方容器の外面に貼り付けてもよい。またこれとは別にカバーを外方容器と一体に形成してもよく、永久粘着剤を一体に形成されたカバーに直接塗布してもよい。
【００３９】
上記実施態様において説明した特徴は、上記実施態様のあらゆる他の特徴と組み合わせて使用してもよい。
【先行技術文献】
【特許文献】
【００４０】
【特許文献１】米国特許第４，７７６，４６１号
【特許文献２】国際公開第ＷＯ０２／０６６３４１号
【図１】
2013503084.tif 000003
【図２】
2013503084.tif 000004
【図３】
2013503084.tif 000005
【図４】
2013503084.tif 000006
【図５】
2013503084.tif 000007
【図６】
2013503084.tif 000008
【図７】
2013503084.tif 000009
【図８】
2013503084.tif 000010
【図９】
2013503084.tif 000011
【国際調査報告】
2013503084.tif 000012
2013503084.tif 000013
2013503084.tif 000014
2013503084.tif 000015